(57)【要約】      （修正有）【課題】ガスタービンコンパートメントの換気排気を利用するためのシステム及び方法を提供する。【解決手段】ガスタービンコンパートメント１２６の換気排気を利用するためのシステム１００及び方法において、システム１００は、圧縮機１０４を有するガスタービンエンジン１０２を含むことができる。システム１００はまた、ガスタービンエンジン１０２の周りに配置されたガスタービンコンパートメント１２６を含むことができる。さらに、システム１００は、圧縮機１０４と流体連通している入口ブリード熱（ＩＢＨ）マニホールド１１８を含むことができる。ガスタービンコンパートメント１２６は、ガスタービンコンパートメント１２６からの換気排気をＩＢＨマニホールド１１８に供給するために、ＩＢＨマニホールド１１８と流体連通していてもよい。【選択図】図１
2015232324.tif 000002
【特許請求の範囲】
【請求項１】
圧縮機（１０４）を含むガスタービンエンジン（１０２）と、
前記ガスタービンエンジン（１０２）の周りに配置されたガスタービンコンパートメント（１２６）と、
前記圧縮機（１０４）と流体連通している入口ブリード熱（ＩＢＨ）マニホールド（１１８）とを備え、前記ガスタービンコンパートメント（１２６）が、前記ガスタービンコンパートメント（１２６）からの換気排気を前記ＩＢＨマニホールド（１１８）に供給するために、前記ＩＢＨマニホールド（１１８）と流体連通している、前記ガスタービンコンパートメント（１２６）の換気排気を利用するためのシステム（１００）。
【請求項２】
前記ガスタービンコンパートメント（１２６）と前記ＩＢＨマニホールド（１１８）との間に配置された、少なくとも１つの抽気ブロワ（１３０）をさらに備え、前記少なくとも１つの抽気ブロワ（１３０）が、前記ガスタービンコンパートメント（１２６）からの換気排気を前記ＩＢＨマニホールド（１１８）に供給するように構成されている、請求項１に記載のシステム（１００）。
【請求項３】
前記ガスタービンコンパートメント（１２６）と前記ＩＢＨマニホールド（１１８）との間に配置された換気排気制御弁（１３２）をさらに備え、前記換気排気制御弁（１３２）が、前記ＩＢＨマニホールド（１１８）に供給される換気排気を調整するように構成されている、請求項１に記載のシステム（１００）。
【請求項４】
前記ＩＢＨマニホールド（１１８）に、前記圧縮機（１０４）から排出されたブリード空気を供給するために、前記ＩＢＨマニホールド（１１８）と流体連通している圧縮機出口をさらに備える請求項１に記載のシステム（１００）。
【請求項５】
前記圧縮機出口と前記ＩＢＨマニホールド（１１８）との間に配置されたブリード空気制御弁（１２２）をさらに備え、前記ブリード空気制御弁（１２２）が、前記ＩＢＨマニホールド（１１８）に供給される、前記圧縮機（１０４）から排出されたブリード空気を調整するように構成されている、請求項４に記載のシステム（１００）。
【請求項６】
前記ガスタービンコンパートメント（１２６）が大気と連通している、請求項１に記載のシステム（１００）。
【請求項７】
前記ガスタービンコンパートメント（１２６）と大気との間に配置されたベント制御弁（１３６）をさらに備え、前記ベント制御弁（１３６）が、大気中に放出される換気排気を調整するように構成されている、請求項６に記載のシステム（１００）。
【請求項８】
前記ガスタービンコンパートメント（１２６）にろ過された空気を提供するため、前記ガスタービンコンパートメント（１２６）と流体連通している１以上の入口空気フィルタ（１１４）をさらに備える、請求項１に記載のシステム（１００）。
【請求項９】
入口スクリーンと、前記ガスタービンコンパートメント（１２６）との間に配置されたろ過空気制御弁（１４０）をさらに備え、前記ろ過空気制御弁（１４０）が、前記ガスタービンコンパートメント（１２６）に供給される、ろ過された空気を調整するように構成される、請求項８に記載のシステム（１００）。
【請求項１０】
前記ガスタービンエンジン（１０２）に、ろ過された空気を提供するよう構成されたフィルタハウジング（１１２）をさらに備え、前記１以上の入口空気フィルタ（１１４）は、前記フィルタハウジング（１１２）と関連している、請求項８に記載のシステム（１００）。
【請求項１１】
前記ガスタービンコンパートメント（１２６）が、ろ過されていない空気を前記ガスタービンコンパートメント（１２６）に提供するために、大気と流体連通している、請求項１に記載のシステム（１００）。
【請求項１２】
前記ガスタービンコンパートメント（１２６）と大気との間に配置された未ろ過空気制御弁（１４０）をさらに備え、前記未ろ過空気制御弁（１４０）が、前記ガスタービンコンパートメント（１２６）に供給される、ろ過されていない空気を調整するように構成されている、請求項１１に記載のシステム（１００）。
【請求項１３】
前記ガスタービンエンジン（１０２）が、
前記圧縮機（１０４）と連通している燃焼器（１０６）と、
前記燃焼器（１０６）と連通しているタービン（１０８）とを備える、請求項１に記載のシステム（１００）。
【請求項１４】
前記ＩＢＨマニホールド（１１８）と連通している、追加の廃熱源をさらに備える、請求項１に記載のシステム（１００）。
【請求項１５】
ガスタービンコンパートメント（１２６）の換気排気を利用するためのシステム（１００）であって、
圧縮機（１０４）と、
前記圧縮機（１０４）と連通している燃焼器（１０６）と、
前記燃焼器（１０６）と連通しているタービン（１０８）と、
前記圧縮機（１０４）、前記燃焼器（１０６）及び前記タービン（１０８）の１以上の周りに配置されたガスタービンコンパートメント（１２６）と、
前記圧縮機（１０４）と流体連通している入口ブリード熱（ＩＢＨ）マニホールド（１１８）とを備え、前記ガスタービンコンパートメント（１２６）が、前記ガスタービンコンパートメント（１２６）からの換気排気を前記ＩＢＨマニホールド（１１８）に供給するために、前記ＩＢＨマニホールド（１１８）と流体連通している、システム（１００）。
【請求項１６】
前記ガスタービンコンパートメント（１２６）にろ過された空気を提供するため、前記ガスタービンコンパートメント（１２６）と流体連通している１以上の入口空気フィルタ（１１４）をさらに備える、請求項１５に記載のシステム（１００）。
【請求項１７】
ガスタービンコンパートメント（１２６）の換気排気を利用するための方法であって、
前記ガスタービンコンパートメント（１２６）に供給される空気をろ過することと、
前記ガスタービンコンパートメント（１２６）からの換気排出空気を、入口ブリード熱（ＩＢＨ）マニホールド（１１８）に供給することとを含む方法。
【請求項１８】
ろ過された前記ガスタービンコンパートメント（１２６）の換気排気を前記圧縮機（１０４）から排出されたブリード空気と混合させることをさらに含む請求項１７に記載の方法。
【請求項１９】
前記ガスタービンコンパートメント（１２６）の換気排出の少なくとも一部を大気に排出することを含む請求項１７に記載の方法。
【請求項２０】
前記ガスタービンコンパートメント（１２６）に、ろ過されていない空気を供給することをさらに含む請求項１７に記載の方法。
【発明の詳細な説明】
【技術分野】
【０００１】
本開示は、概してガスタービンエンジンに関し、より具体的には、ガスタービンコンパートメントの換気排気を利用するためのシステム及び方法に関する。
【背景技術】
【０００２】
ガスタービンエンジンは、発電のため、又は様々な気候条件の下で運転する装置用の機械的駆動装置として広く利用されている。寒い周囲温度、及び高い湿度条件における運転は、多くの場合、入口空気フィルタハウジング部品及び圧縮機部品上に氷を形成する。低減負荷又は出力運転と結合されると、圧縮機の空気力学的ストレスも、これらの低い周囲温度条件下で増大する。ガスタービンのターンダウンも、低い周囲温度条件の間は、燃焼器リーン運転限界に起因して制限され、余剰のエミッションを生成する。また、負荷低減を達成するために、圧縮機の入口案内翼の閉動作が必要となり、ガスタービンの効率を悪化させてしまう。
【先行技術文献】
【特許文献】
【０００３】
【特許文献１】米国特許出願公開第２０１３／０１９３１２７号明細書
【発明の概要】
【０００４】
上記の必要性及び／もしくは問題の一部又はすべては、本開示の特定の実施形態によって対処することができる。本開示は、ガスタービンコンパートメントの換気排気を利用するためのシステム及び方法を提供する。一実施形態において、システムは、圧縮機を有するガスタービンエンジンを含むことができる。システムはまた、ガスタービンエンジンの周りに配置されたガスタービンコンパートメントを含むことができる。さらに、システムは、圧縮機と流体連通している入口ブリード熱（ＩＢＨ）マニホールドを含むことができる。ガスタービンコンパートメントは、ガスタービンコンパートメントからの換気排気をＩＢＨマニホールドに供給するために、ＩＢＨマニホールドと流体連通していてもよい。
【０００５】
別の実施形態では、本開示は、ガスタービンコンパートメントの換気排気を利用するための方法を提供する。本方法は、ガスタービンコンパートメントに供給される空気をろ過することと、ガスタービンコンパートメントからの換気排出空気をＩＢＨマニホールドに供給することとを含む。
【０００６】
さらに別の実施形態では、本開示は、ガスタービンコンパートメントの換気排気を利用するためのシステムを提供する。本システムは、圧縮機と、圧縮機と連通している燃焼器と、燃焼器と連通しているタービンとを含む。本システムは、また、圧縮機、燃焼器及びタービンの１以上の周りに配置されたガスタービンコンパートメントを含む。さらに、本システムは、圧縮機と流体連通しているＩＢＨマニホールドを含む。ガスタービンコンパートメントは、ガスタービンコンパートメントからの換気排気をＩＢＨマニホールドに供給するために、ＩＢＨマニホールドと流体連通していてもよい。
【０００７】
本開示に関するこれら及びその他の実施形態、態様、及び特徴は、以下の詳細な説明、添付図面、及び添付の特許請求の範囲から当業者には明らかになるであろう。
【０００８】
ここで添付の図面を参照するが、必ずしも原寸に比例していない。
【図面の簡単な説明】
【０００９】
【図１】１以上の実施形態に係るシステムの概略図である。
【図２】１以上の実施形態に係るシステムの概略図である。
【図３】１以上の実施形態に係る制御システムの一実施形態の概略図である。
【図４】１以上の実施形態に係る方法を示すフローチャートである。
【図５】１以上の実施形態に係る方法を示すフローチャートである。
【図６】１以上の実施形態に係る方法を示すフローチャートである。
【図７】１以上の実施形態に係る方法を示すフローチャートである。
【図８】１以上の実施形態に係る方法を示すフローチャートである。
【発明を実施するための形態】
【００１０】
ここで、図面を参照する。図面では、同様の番号が、いくつかの図面を通して同様の要素を指す。図１は、ガスタービンコンパートメントの換気排気を利用するためのシステム１００の例示的な実施形態である。システム１００は、１以上のガスタービンエンジン１０２を含んでもよい。各ガスタービンエンジン１０２は、圧縮機１０４と、燃焼器１０６と、タービン１０８とを含むことができる。圧縮機１０４は、流入空気を圧縮することができる。圧縮機１０４は、圧縮空気流を燃焼器１０６に供給する。燃焼器１０６では、圧縮された空気流を、燃料流と混合させる。空気／燃料混合気が点火されて、燃焼ガス流を生成することができる。燃焼ガス流は、タービン１０８に供給され得る。燃焼ガス流は、タービン１０８を駆動して、機械的仕事を生成することができる。タービン１０８内で生成された機械的仕事は、圧縮機１０４及び発電機等の外部負荷を駆動することができる。燃焼ガス流は、排気サブシステム１１０等を介して排出され、スタックや熱回収蒸気発生器に向けられるか、あるいは処分され得る。
【００１１】
ガスタービンエンジン１０２は、天然ガス、様々な種類の合成ガス、及び／又はその他の種類の燃料を使用することができる。ガスタービンエンジン１０２は、ニューヨーク、スケネクタディのＧｅｎｅｒａｌＥｌｅｃｔｒｉｃ  Ｃｏｍｐａｎｙ等によって提供される、いくつかの異なるガスタービンエンジンのいずれでもよい。ガスタービンエンジン１０２は、異なる構成を有していてもよく、他の種類の部品を使用してもよい。他の種類のガスタービンエンジンも、本明細書において使用され得る。複数のガスタービンエンジン、他の種類のタービン、及び他の種類の動力発生機器も、本明細書において一緒に使用することができる。
【００１２】
ガスタービンエンジン１０２は、フィルタハウジング１１２を含むことができる。フィルタハウジング１１２は、ガスタービンエンジン１０２に送られる外気吸入空気１１６からの水分及び／又は粒子状物質（ダスト及び／又はデブリ等）を除去する入口空気フィルタ１１４をいくつか有するフィルタアセンブリを１以上含むことができる。他のフィルタアセンブリも、本明細書において使用され得る。
【００１３】
いくつかの例において、ＩＢＨマニホールド１１８が、圧縮機１０４と流体連通していてもよい。例えば、圧縮機１０４の出口は、少なくとも１つの導管１２０を介してＩＢＨマニホールド１１８と流体連通していてもよい。導管１２０は、ＩＢＨマニホールド１１８に圧縮機ブリード空気を供給してもよい。このようにして、圧縮機によって排出された空気の一部を、圧縮機１０４の入口に再循環させることができる。再循環した、圧縮機によって排出された空気を、より低温の外気吸入空気１１６と混合させることができる。いくつかの例では、ブリード空気制御弁１２２を、圧縮機１０４の出口とＩＢＨマニホールド１１８との間に配置することができる。ブリード空気制御弁１２２は、ＩＢＨマニホールド１１８に設けられた圧縮機ブリード空気を調整するよう構成され得る。また、圧縮機１０４は、１以上の入口案内翼１２４を含むことができる。
【００１４】
ガスタービンエンジン１０２は、全体的に又は部分的に、ガスタービンコンパートメント１２６で囲まれていてもよい。ガスタービンエンジン１０２の作動中に、廃熱をガスタービンコンパートメント１２６に放出してもよく、それによって、ガスタービンコンパートメント１２６内の空気が加熱され得る。いくつかの例において、システム１００は、ガスタービンコンパートメント１２６からの廃熱を利用することができる。例えば、少なくとも１つの導管１２８が、ガスタービンコンパートメント１２６をＩＢＨマニホールド１１８と流体結合させてもよい。ＩＢＨマニホールド１１８には、ガスタービンコンパートメント１２６からの、換気排気が供給される。いくつかの例では、加熱された換気排気を、ＩＢＨマニホールド１１８において、より低温の外気吸入空気１１６と混合させる。
【００１５】
ガスタービンコンパートメント１２６からの、換気排気２を、導管１２８の周りに配置された少なくとも１つの抽気ブロワ１３０（排気ファン）によってガスタービンコンパートメント１２６から抽出することができる。つまり、抽気ブロワ１３０は、ガスタービンコンパートメント１２６からの加熱空気を吸い込むことができる。いくつかの例において、ガスタービンコンパートメント１２６からの加熱空気は、ＩＢＨマニホールド１１８に供給され得る。例えば、換気排気制御弁１３２は、ガスタービンコンパートメント１２６とＩＢＨマニホールド１１８との間に配置され得る。換気排気制御弁１３２は、ＩＢＨマニホールド１１８に供給された換気排気を調整するよう構成され得る。
【００１６】
他の場合には、ガスタービンコンパートメント１２６からの加熱空気を大気に排出することができる。例えば、少なくとも１つの導管１３４が、ガスタービンコンパートメント１２６を大気と流体結合してもよい。いくつかの例では、ベント制御弁１３６は、ガスタービンコンパートメント１２６と大気との間に配置されてもよい。ベント制御弁１３６は、大気中に排出される、ガスタービンコンパートメント１２６からの換気排気を調整するよう構成され得る。場合によっては、換気排出空気の一部を大気に放出し、換気排出空気の残りの部分を、ＩＢＨマニホールド１１８に供給することができる。
【００１７】
特定の実施形態では、圧縮機ブリード空気と換気排出空気を、混合させてもよい。例えば、換気排気制御弁１３２及び／又はブリード空気制御弁１２２は、ＩＢＨマニホールド１１８に、ガスタービンコンパートメント１２６からの、圧縮機ブリード空気及び／又は換気排出空気の混合物を供給するように調整することができる。
【００１８】
ガスタービンコンパートメント１２６には、ろ過された、及び／又はろ過されていない空気が供給され得る。例えば、少なくとも１つの導管１３８が、フィルタハウジング１１２とガスタービンコンパートメント１２６を流体結合することができる。このようにして、ガスタービンコンパートメント１２６には、フィルタハウジング１１２から、ろ過された空気が供給され得る。別の場合では、ガスタービンコンパートメント１２６は、フィルタハウジング１１２とは別個のフィルタと連通していてもよい。すなわち、ガスタービンコンパートメント１２６は、それ自身の専用のフィルタ組立体を有することができる。いくつかの例では、ろ過空気制御弁１４０が、フィルタハウジング１１２とガスタービンコンパートメント１２６との間に配置されてもよい。ろ過空気制御弁１４０は、ガスタービンコンパートメント１２６に供給された、ろ過された空気を調整するよう構成され得る。
【００１９】
別の場合では、ガスタービンコンパートメント１２６は、ガスタービンコンパートメント１２６に、ろ過されていない空気が供給されるように、少なくとも１つの導管１４２を介して大気と流体連通していてもよい。例えば、未ろ過空気制御弁１４４が、ガスタービンコンパートメント１２６と大気との間に配置されてもよい。未ろ過空気制御弁１４４は、ガスタービンコンパートメント１２６に設けられた、ろ過されていない空気を調整するよう構成され得る。特定の実施形態において、ろ過された空気と、ろ過されていない空気とを一緒に混合させることができる。例えば、ろ過空気制御弁１４０及び／又は未ろ過空気制御弁１４４は、ろ過された空気と、ろ過されていない空気の混合物をガスタービンコンパートメント１２６に供給するように調整されてもよい。
【００２０】
いくつかの例では、追加の廃熱源が、ガスタービンコンパートメント１２６からの廃熱と共に、又は廃熱に代えて使用され得る。例えば、図２に示すように、空気冷却式発電機１４６及び／又はスイッチギヤコンパートメント１４８からの廃熱（加熱空気等）を用いることができる。いくつかの例では、少なくとも１つの導管１５０が、ＩＢＨマニホールド１１８を、ガスタービンコンパートメント１２６、空気冷却式発電機１４６、及び／又はスイッチギヤコンパートメント１４８に流体結合してもよい。また、抽気ブロワ１３０は、ガスタービンコンパートメント１２６、空気冷却式発電機１４６及び／又はスイッチギヤコンパートメント１４８から出された、加熱空気を吸い込む。さらに、１以上の制御弁（図示せず）が、１以上の導管１３６の周りに配置され、導管内の流れ、又は流れの組み合わせを制御することができる。
【００２１】
図３に示されるように、ブリード空気制御弁１２２弁、換気排気制御弁１３２、ベント制御弁１３６、ろ過空気制御弁１４０、及び／又は未ろ過空気制御弁１４４の位置は、コントローラ１５２によって制御され得る。コントローラ１５２は、抽気ブロワ１３０も制御してもよい。また、コントローラ１５２は、種々の導管、フィルタハウジング１１２、入口空気フィルタ１１４、ＩＢＨマニホールド１１８、圧縮機１０４等の周りに配置された１以上のセンサからの入力を受信することができる。コントローラ１５２は、１以上のアクチュエータを作動させるように構成されてもよい。コントローラ１５２は、独立したコントローラであってもよいし、ガスタービン制御システムと統合されていてもよい。コントローラ１５２は、少なくとも、メモリと、１以上の処理ユニット（すなわち１以上のプロセッサ）を含んでいてもよい。１以上のプロセッサは、ハードウェア、ソフトウェア、ファームウェア、又はそれらの組み合わせで、適宜実装することができる。１以上のプロセッサをソフトウェア又はファームウェアで実装することには、本明細書に記載した様々な機能を実行する、任意の適切なプログラミング言語で書かれたコンピュータ実行可能命令又は機械実行可能命令が含まれ得る。また、プロセッサは、ネットワーク、サーバ、コンピュータ、又はモバイル装置に関連づけられていてもよい。
【００２２】
図４は、本開示の１以上の実施形態に従って、ガスタービンコンパートメントの換気排気を利用して、ガスタービン及び複合サイクルの発熱率を改善するための方法４００を示すフローチャートである。ブロック４０２において、換気排気をろ過することができる。例えば、ガスタービンコンパートメント１２６には、フィルタハウジング１１２からの、ろ過された空気を供給することができ、又はガスタービンコンパートメント１２６は、フィルタハウジング１１２とは別のフィルタと連通していてもよい。ブロック４０４において、部分負荷ガスタービン又は複合サイクルの出力要求を決定することができる。ブロック４０６において、ガスタービンコンパートメント１２６からの加熱空気を、ＩＢＨマニホールド１１８に供給することができる。ブロック４０８において、ＩＢＨマニホールド１１８に供給される加熱空気流が、出力負荷要求に十分適合するものでない場合には、入口案内翼１２４を閉じて、負荷要求設定点を満たすことができる。あるいは、ＩＢＨマニホールド１１８に供給される加熱空気流が、出力負荷要求に適合するために必要とされるものよりも大きい場合、負荷要求設定点を満たすために、余剰な流れを大気に排出することができる。
【００２３】
図５は、本開示の１以上の実施形態に従って、ガスタービンコンパートメントの換気排気を利用して、改良された発熱率を有して、防氷機能を提供するための方法５００を示すフローチャートである。ブロック５０２において、換気排気をろ過することができる。例えば、ガスタービンコンパートメント１２６には、フィルタハウジング１１２からの、ろ過された空気を供給することができ、又はガスタービンコンパートメント１２６は、フィルタハウジング１１２とは別のフィルタと連通していてもよい。ブロック５０４において、防氷のためのガスタービン入口温度を決定することができる。ブロック５０６において、周囲温度が防氷のために必要とされる温度より低い場合、ガスタービンコンパートメント１２６からの加熱空気を、ＩＢＨマニホールド１１８に供給することができる。ブロック５０８において、ＩＢＨマニホールド１１８に供給される加熱空気流が、防氷に適合するために必要とされるものよりも大きい場合には、余剰の流れを、大気に排出してもよい。あるいは、ＩＢＨマニホールド１１８に供給される加熱空気流が、防氷に適合するために必要とされるものよりも小さい場合、圧縮機ブリード空気を、加熱空気と混合して要求に適合させることができる。
【００２４】
図６は、圧縮機の、Ｃｍ／Ｕ保護としても知られる空気力学的ストレス保護に関する開示の、１以上の実施形態に従って、ガスタービンコンパートメントの換気排気を利用するための方法６００を示すフローチャートである。ブロック６０２において、換気排気をろ過することができる。例えば、ガスタービンコンパートメント１２６には、フィルタハウジング１１２からの、ろ過された空気を供給することができ、又はガスタービンコンパートメント１２６は、フィルタハウジング１１２とは別のフィルタと連通していてもよい。ブロック６０４において、Ｃｍ／Ｕ保護に必要なガスタービン入口温度を決定することができる。Ｃｍ／Ｕは、軸流速度を圧縮機の周方向の流速で割った値である。ブロック６０６において、周囲温度がＣｍ／Ｕ保護のために必要とされる温度より低い場合、ガスタービンコンパートメントからの加熱空気を、ＩＢＨマニホールド１１８に供給してもよい。ブロック６０８において、ＩＢＨマニホールドに供給される加熱空気流が、Ｃｍ／Ｕ保護に要求される値よりも大きい場合には、余剰の流れを大気に排出することができる。あるいは、ＩＢＨマニホールド１１８に供給される加熱空気流がＣｍ／Ｕ保護に要求される値より小さい場合は、圧縮機ブリード空気を加熱空気と混合して、要求に適合させることができる。
【００２５】
図７は、本開示の１以上の実施形態に従ってガスタービンコンパートメントの換気排気を利用するための方法７００を示すフローチャートである。ブロック７０２において、換気排気をろ過することができる。例えば、ガスタービンコンパートメント１２６には、フィルタハウジング１１２からの、ろ過された空気を供給することができ、又はガスタービンコンパートメント１２６は、フィルタハウジング１１２とは別のフィルタと連通していてもよい。ブロック７０４において、ｏｐ−ｌｉｍｉｔ保護としても知られる、失速及びサージに対する圧縮機運転上の制限保護のために、ガスタービン入口温度を決定することができる。ブロック７０６において、周囲温度が、圧縮機のｏｐ−ｌｉｍｉｔ保護のために必要とされる温度より低い場合、ガスタービンコンパートメントからの加熱空気を、ＩＢＨマニホールド１１８に供給してもよい。ブロック７０８において、ＩＢＨマニホールドに供給される加熱空気流が、圧縮機のｏｐ−ｌｉｍｉｔの要求を満たすのに必要とされるよりも大きい場合には、余剰の流れを、大気に排出することができる。ＩＢＨマニホールド１１８に供給される加熱空気流が、圧縮機のｏｐ−ｌｉｍｉｔの要求を満たすのに必要とされるものより小さい場合は、圧縮機ブリード空気を加熱空気と混合して、要求に適合させることができる。
【００２６】
図８は、本開示の１以上の実施形態に従って、ガスタービンコンパートメントの換気排気を利用するための方法８００を示すフローチャートである。ブロック８０２において、換気排気をろ過することができる。例えば、ガスタービンコンパートメント１２６には、フィルタハウジング１１２からの、ろ過された空気を供給することができ、又はガスタービンコンパートメント１２６は、フィルタハウジング１１２とは別のフィルタと連通していてもよい。ブロック８０４において、部分負荷ガスタービン又は複合サイクルの出力要求を決定することができる。ブロック８０６において、出力負荷要求が公称の最小能力より低い場合、ガスタービンコンパートメント１２６からの加熱空気を、ＩＢＨマニホールド１１８に供給することができる。ブロック８０８において、ＩＢＨマニホールド１１８に供給される加熱空気流が、出力負荷要求に合致するために必要とされるものよりも大きい場合、負荷要求設定点を満たすために、余剰の流れを、大気に排出することができる。
【００２７】
前述の記載は本出願の特定の実施形態のみに関するものであり、当業者であれば、添付の特許請求の範囲により定義される開示及びその均等物の一般的な趣旨及び範囲から逸脱することなく、多くの変更及び修正を行うことができることは、明らかであろう。
【符号の説明】
【００２８】
２  換気排気
１００  システム
１０２  ガスタービンエンジン
１０４  圧縮機
１０６  燃焼器
１０８  タービン
１１０  排気サブシステム
１１２  フィルタハウジング
１１４  入口空気フィルタ
１１６  外気吸入空気
１１８  ＩＢＨマニホールド
１２０  導管
１２２  ブリード空気制御弁
１２４  入口案内翼
１２６  ガスタービンコンパートメント
１２８  導管
１３０  抽気ブロワ
１３２  換気排気制御弁
１３４  導管
１３６  ベント制御弁
１３８  導管
１４０  ろ過空気制御弁
１４２  導管
１４４  未ろ過空気制御弁
１４６  空気冷却式発電機
１４８  スイッチギヤコンパートメント
１５０  導管
１５２  コントローラ
【図１】
2015232324.tif 000003
【図２】
2015232324.tif 000004
【図３】
2015232324.tif 000005
【図４】
2015232324.tif 000006
【図５】
2015232324.tif 000007
【図６】
2015232324.tif 000008
【図７】
2015232324.tif 000009
【図８】
2015232324.tif 000010
【外国語明細書】
2015232324000001.pdf